(57)【要約】【課題】把手を化粧板の上端部又は下端部以外の適所に配置する。【解決手段】帯状の指掛けリップ片３を前端に有する前方が開放された溝状の引手４と、該引手４の上下の夫々に該引手４と同一幅を有する上方及び下方化粧板2a、2bの上方及び下方連結部５、６を設ける。【選択図】図６
2008228860.tif 000002
【特許請求の範囲】
【請求項１】
帯状の指掛けリップ片を前端に有する前方が開放された溝状の引手と、該引手の上下の夫々に該引手と同一幅を有する上方及び下方化粧板の上方及び下方連結部を設けたことを特徴とする把手。
【請求項２】
引手において高さ方向に渡り同一円弧状に形成された上方及び下方化粧板の各前面左右端縁に対応する箇所を、前記各前面左右端縁の円弧形状に対応する様に平面視円弧状に形成したことを特徴とする請求項１記載の把手。
【請求項３】
同一幅を有する上方及び下方化粧板間にその幅方向に渡って前端に帯状の指掛けリップ片を有する前方が開放された溝状の引手を設けた把手を介装したことを特徴とする化粧板。
【請求項４】
上方及び下方化粧板の各前面左右端縁は高さ方向に渡り同一円弧状に形成されると共に、把手において前記各前面左右端縁に対応する箇所をその円弧形状に対応する様に平面視円弧状に形成したことを特徴とする請求項３記載の化粧板。
【発明の詳細な説明】
【技術分野】
【０００１】
本発明は、主に家具の引出し前板や扉に取付けて使用する把手と、この把手を用いた前記扉等を構成する化粧板に関する。
【背景技術】
【０００２】
従来、家具の引出し前板や扉としては、アルミニウム製等の金属製にして、前方が開放された溝状の引手を設けた把手を、化粧板の上端部又は下端部にその幅方向に渡って取り付けたものが見受けられる（例えば、特許文献１参照）。
【特許文献１】特許第３６５１４５８号公報
【発明の開示】
【発明が解決しようとする課題】
【０００３】
しかしながら、上記把手は化粧板の上端部又は下端部にしか取付けられないため、家具の製作において、その把手の位置が限定されて汎用性に欠けるといった課題を有している。
そこで、本発明では、化粧板の上端部又は下端部以外の適所に配置できる様にした把手及びこれを用いた化粧板を提供することを目的としている。
【課題を解決するための手段】
【０００４】
上記課題に鑑み、本発明に係る把手は、帯状の指掛けリップ片を前端に有する前方が開放された溝状の引手と、該引手の上下の夫々に該引手と同一幅を有する上方及び下方化粧板の上方及び下方連結部を設けたことを特徴とする。
又、上記引手において高さ方向に渡り同一円弧状に形成された上方及び下方化粧板の各前面左右端縁に対応する箇所を、前記各前面左右端縁の円弧形状に対応する様に平面視円弧状に形成したことを特徴とする。
更に本発明に係る化粧板は、同一幅を有する上方及び下方化粧板間にその幅方向に渡って前端に帯状の指掛けリップ片を有する前方が開放された溝状の引手を設けた把手を介装したことを特徴とする。
又、上方及び下方化粧板の各前面左右端縁は高さ方向に渡り同一円弧状に形成されると共に、把手において前記各前面左右端縁に対応する箇所をその円弧形状に対応する様に平面視円弧状に形成したことを特徴とする。
【発明の効果】
【０００５】
要するに請求項１、３に係る発明によれば、同一幅を有する上方及び下方化粧板間にその幅方向に渡って前端に帯状の指掛けリップ片を有する前方が開放された溝状の引手を設けた把手を介装したので、上方及び下方化粧板を把手で連結した一枚の化粧板を構成することができ、この一枚の化粧板の上下方向の適宜位置に把手を横手に配することができるため、その化粧板における把手を所望高さ位置に変更可能と成すことができ、かかる化粧板を家具の引出し前板や扉に用いることでバリエーションに富んだ家具を構成できる。
又、化粧板における把手の高さ位置が自由に設定されるので、従来品では使用できない扉、例えばクロゼットなどに使用される背丈ほどある長尺な折戸や観音開きの扉にも適用可能であり、汎用性に富んだ把手及び化粧板を提供できる。
【０００６】
請求項２、４に係る発明によれば、上方及び下方化粧板の各前面左右端縁は高さ方向に渡り同一円弧状に形成されると共に、把手において前記各前面左右端縁に対応する箇所をその円弧形状に対応する様に平面視円弧状に形成したので、把手を配した化粧板は、その前面の左右端縁がその高さ方向に渡り同一の円弧状に形成されるため、デザイン的に統一のとれた美観を呈すると共に、把手が取付けられた化粧板を家具の引出し前板や扉として使用した時に、引手に差し入れられる指先が傷つくことはなく安全であり、更に化粧板の前面左右端縁も円弧状のため、かかる部位が体の各所に触れても傷を負うことはなく、家具をより安全に使用できる等その実用的効果甚だ大である。
【発明を実施するための最良の形態】
【０００７】
以下本発明の実施の一形態例を図面に基づいて説明する。
図１は本発明に係る把手の斜視図、図２は図１の一部破断正面図、図３は図１の一部破断背面図、図４は図１の一部破断平面図、図５は図１の側面図である。
この把手１は化粧板２に取付けられ、流し台、厨房台、洗面化粧台等の家具における引出し前板や扉、或いはクロゼットや間仕切り等に装備される折戸や観音開き扉などに使用される。
【０００８】
把手１は、アルミニウム、ステンレス等の金属製にして、帯状の指掛けリップ片３を前端に有する前方が開放された溝状の引手４と、該引手４の上下の夫々に該引手４と同一幅を有する上方及び下方化粧板2a、2bの上方及び下方連結部５、６とを設けている。
そして、把手１の上下の夫々に上方及び下方連結部５、６にて上方及び下方化粧板2a、2bを連結することにより把手１を介装した一枚の化粧板２を構成する。
【０００９】
引手４は、上方及び下方化粧板2a、2bと同一幅で所定長さを有する帯状の背板７と、該背板７前面の上方部位より前方へ水平突設した帯状の水平板片８と、背板７において水平板片８の基端より下方部位から前方に向かって斜め下方へ傾斜突設した帯状の傾斜板片９とにより前方が開放された溝状に形成される。
【００１０】
水平板片８は、背板７と同幅で上方化粧板2aの下端肉厚と同一奥行きを有し、その前端には指掛けリップ片３を垂設しており、該指掛けリップ片３の上端は、水平板片８より上方へ若干突出して成り、かかる指掛けリップ片３の上端と水平板片８より突出している背板上方部7aとにより、水平板片８上部を上方化粧板2aの下端を挿嵌可能な凹溝状の上方連結部５と成し、背板上方部7aには、その幅方向に所定間隔を置いて皿ビスを挿通する複数の座繰り穴10を貫設している。
【００１１】
傾斜板片９は、その下端が背板７の下端より上方に位置すると共に、傾斜板片９の下端前端面には、背板７と平行で丈の短い帯状の突片11を設け、傾斜板片９と背板下方部7bとで下方化粧板2bの上端を挿嵌可能な下方連結部６と成し、背板下方部7bには、その幅方向に所定間隔を置いて皿ビスを挿通する複数の座繰り穴12を貫設している。
尚、背板７と傾斜板片９の基端との間は補強のため肉付けされており、このため下方連結部６内は台形溝状に形成される。
【００１２】
上方及び下方化粧板2a、2bは、木製から成り、各前面左右端縁13、14は図６に示す様に高さ方向に渡り同一円弧状に形成されると共に、上方及び下方化粧板2a、2bの表面には図示しない化粧シートを貼着している。
上方化粧板2aは、その上端面が水平に形成され、下端は上方連結部５の凹型に合致させてその後端面に背板上方部7aの形状に対応した切欠15を形成している。
下方化粧板2bは、上端が傾斜板片９と背板下方部7bとの間に挿嵌可能と成す様に断面略台形状に形成され、上端の後端面は背板上方部7aの形状に対応した切欠16が形成されており、下方化粧板2bの下端面は水平に形成されている。
尚、上方及び下方化粧板2a、2bの高さは、使用用途によって適宜設定される。
【００１３】
又、引手４において上方及び下方化粧板2a、2bの各前面左右端縁13、14に対応する箇所Ｘ、Ｙ、即ち水平板片８の前方左右隅角部と指掛けリップ片３の左右端部（前方左右隅角部Ｘ）、傾斜板片９の下端左右隅角部と突片11の左右端部（前方左右隅角部Ｙ）を、上方及び下方化粧板2a、2bの各前面左右端縁13、14の円弧形状に対応する様に平面視円弧状に切欠形成している（図２、４、６参照）。
【００１４】
そして、把手１における上方及び下方連結部５、６の夫々に上方及び下方化粧板2a、2bの下端及び上端を挿嵌し、背板上方部7a及び背板下方部7bに設けた座繰り穴10、12に挿通した皿ビス（図示せず）を上方及び下方化粧板2a、2bにねじ込むことにより、上下方向の適宜位置に把手１を横手に配した化粧板２が構成され、把手１の前方左右隅角部Ｘ、Ｙの円弧形状は、化粧板２（上方及び下方化粧板2a、2b）の前面左右端縁13、14の円弧に合致する。
この化粧板２における把手１の高さ位置は、上方及び下方化粧板2a、2bの高さによって変更可能である。
【００１５】
そして、化粧板２を家具の引出し前板や扉、クロゼット等の折戸や観音開きの扉として備え付ける。
尚、化粧板２（把手１）を上下反転して引出し前板や扉として使用することも可能である。
図７は、化粧板２を家具（図示例ではキッチンキャビネット）の扉Ｐとして備え付けた一例を示す。
尚、化粧板２を扉として使用する場合、上方及び下方化粧板2a、2bの両方又は一方に板硝子Ｇを配しても良い。
又、図７においては、化粧板２を扉として用いたもののみを示したが、引出しの前板としても使用可能である。
【００１６】
又、この化粧板（上方及び下方化粧板2a、2b及び把手１）２における前方左右端縁13、14、Ｘ、Ｙは、その高さ方向に渡り同一円弧状に形成されているため、平面視及び正面視においてデザイン的に統一のとれた美観を呈すると共に、使用において、前方左右隅角部Ｘ、Ｙが角張らず円弧状のため、引手４に差し入れられる指先が傷つくことはなく、又化粧板（上方及び下方化粧板2a、2b）２の前面左右端縁13、14も円弧状のため、かかる部位が体の各所に触れても傷を負うこともなく安全である。
【００１７】
把手１は上方及び下方化粧板2a、2bの高さを変更することで化粧板２における高さ位置を自由に設定できるので、従来品では使用できない扉、例えばクロゼットなどに使用される背丈ほどある長尺な折戸や観音開きの扉にも適用可能であり、その一例として図８に化粧板２を用いたクロゼットの扉を示す。
図８に示すクロゼットの扉は、クロゼット開口部の左右に化粧板２を２枚一組の折戸Ｑとして備え付けており、この場合でも各化粧板２を反転して使用することも可能である。
【図面の簡単な説明】
【００１８】
【図１】把手の斜視図である。
【図２】図１の一部破断正面図である。
【図３】図１の一部破断背面図である。
【図４】図１の一部破断平面図である。
【図５】図１の側面図である。
【図６】把手を取付けた化粧板の斜視図である。
【図７】把手及び化粧板をキッチンキャビネットに用いた使用例を示す正面図である。
【図８】把手及び化粧板をクロゼットに用いた使用例を示す正面図である。
【符号の説明】
【００１９】
１      把手
2a      上方化粧板
2b      下方化粧板
３      指掛けリップ片
４      引手
５      上方連結部
６      下方連結部
13      前面左右端縁
14      前面左右端縁
【図１】
2008228860.tif 000003
【図２】
2008228860.tif 000004
【図３】
2008228860.tif 000005
【図４】
2008228860.tif 000006
【図５】
2008228860.tif 000007
【図６】
2008228860.tif 000008
【図７】
2008228860.tif 000009
【図８】
2008228860.tif 000010